(57)【要約】      （修正有）【課題】  ブルーレイディスク（ＢＤ）を含む複数の光ディスク装置を備えた記録再生装置の使い勝手を良くする。【解決手段】  ＤＶＤ、ＢＤディスクを備えた装置に複数の手順を用意し、例えば、正面パネルを開にし（Ｓ１２）、リモコンのＳＷ操作を可能にした（Ｓ１３）のち、第１の手順（Ｓ１４）では、電源スイッチをオンし、記録再生装置をオン状態にした後、各ＥＪＥＣＴＳＷのいずれか一方を押すことにより、押した方のディスクがＥｊｅｃｔされる。第２の手順（Ｓ１５）では、電源スイッチをオンせずに、各ＥｊｅｃｔＳＷのいずれか一方を押すと、記録再生装置の電源が入り、次にＥｊｅｃｔＳＷのいずれか押された方のディスク装置がＥｊｅｃｔする。第３の手順（Ｓ１６）では、電源スイッチをオンせずに、ＥｊｅｃｔＳＷのいずれか一方を押すと、記録再生装置の電源が入り、次に、いずれを押したかにかかわらず両方のディスク装置がＥｊｅｃｔする等。【選択図】  図９
2006164381.tif 000002
【特許請求の範囲】
【請求項１】
筐体と、該筐体内に配置される第１の光学ディスク装置及び第２の光学ディスク装置と、を有する記録再生装置であって、
電源オフの状態から、前記第１の光学ディスク装置のディスクを出し入れする第１の操作キーと前記第２の光学ディスク装置のディスクを出し入れする前記第１の操作キーとは異なる第２の操作キーとのうちのいずれか一方を操作することにより前記記録再生装置の電源をオンする制御を行う制御部を有することを特徴とする記録再生装置。 
【請求項２】
前記第２の光学ディスク装置は使用する記録媒体として片面の記録容量が８．６ギガバイト以上の光ディスクを使用することを特徴とする請求項１に記載の記録再生装置。
【請求項３】
前記制御部は、前記第１の操作キーと前記第２の操作キーとのうち操作した方の操作キーに対応する光学ディスク装置のディスクのみを出す制御を行うことを特徴とする請求項１又は２に記載の記録再生装置。
【請求項４】
前記制御部は、前記第１の操作キー又は前記第２の操作キーのうちいずれかの操作に応じて両方の光学ディスク装置のディスクを出す制御を行うことを特徴とする請求項１又は２に記載の記録再生装置。
【請求項５】
前記制御部は、前記第１の操作キー又は前記第２の操作キーの両方を一度に操作した場合に、両方の光学ディスク装置のディスクを出す制御を行うことを特徴とする請求項１又は２に記載の記録再生装置。
【請求項６】
さらに、前記光学ディスク装置内のディスクの有無を検出する検出部を有し、
前記制御部は、前記第１の操作キー又は前記第２の操作キーの少なくとも一方を操作した場合に、使用可能な方の光学ディスク装置のディスクを出す制御を行うことを特徴とする請求項１又は２に記載の記録再生装置。
【請求項７】
前記光学ディスク装置の着脱口を塞ぐ位置に開閉可能に設けられたパネルを有し、
前記制御部は、前記第１又は第２の操作キーのうち少なくともいずれか一方を操作した際に、前記パネルが閉の場合には該パネルを開にした後に前記ディスクを出す動作が行われることを特徴とする請求項１から６までのいずれか１項に記載の記録再生装置。
【請求項８】
筐体と、該筐体内に配置され第１の電子装置と第２の電子装置との少なくとも２つの電子装置群と、を有する電子機器であって、
電源オフの状態から、前記第１の電子装置の始動させる第１の操作キーと前記第２の電子装置を始動させる前記第１の操作キーとは異なる第２の操作キーとのうちのいずれか一方を操作することにより前記電子機器の電源をオンする制御を行う制御部を有することを特徴とする電子機器。
【請求項９】
筐体と、該筐体内に配置され第１の電子装置と第２の電子装置との少なくとも２つの電子装置群と、を有する電子機器の制御方法あって、
電源オフの状態から、前記第１の電子装置を始動させる第１の操作キーと前記第２の電子装置を始動させる前記第１の操作キーとは異なる第２の操作キーとのうちのいずれか一方を操作することにより前記電子機器の電源をオンするステップを有することを特徴とする電子機器の制御方法。
【請求項１０】
コンピュータに、請求項１０に記載のステップを実行させるためのプログラム。
【請求項１１】
筐体と、該筐体内に配置される第１の光学ディスク装置及び第２の光学ディスク装置と、を有する記録再生装置であって、
電源オフの状態から、前記第１の光学ディスク装置のディスクを第１の着脱口から出す操作を行う第１の操作キーと前記第２の光学ディスク装置のディスクを第２の着脱口から出す操作をする第２の操作キーとのうちのいずれか一方を操作することにより前記記録再生装置の電源をオンする制御を行う制御部を有することを特徴とする記録再生装置。 
【請求項１２】
前記制御部は、前記第１の操作キーと前記第２の操作キーとのうち操作した方の操作キーに対応する光学ディスク装置のディスクのみを出す制御を行うことを特徴とする請求項１１に記載の記録再生装置。
【発明の詳細な説明】
【技術分野】
【０００１】
本発明は記録再生装置に関し、より詳細には１つの筐体に複数のディスク装置を備える記録再生装置に関し、特に光学ディスク装置のうちの少なくとも１つは使用する記録媒体の片面の記録容量が８．６ギガバイト以上の光ディスクを用いた記録再生装置のディスクの出し入れ操作に関する制御技術に関する。
【背景技術】
【０００２】
最近の記憶再生装置は、マルチメディア時代の要望に応えるために、大容量データの記憶媒体としてＤＶＤ（Digital Versatile Disk）を記録媒体として用いたＤＶＤ装置と大容量かつ安価なハードディスク装置（ＨＤＤ）とを備えているのが一般的である。
【０００３】
ＤＶＤ装置は、波長６５０ｎｍ帯の赤色半導体レーザーを光ディスクのピックアップとして用いている。一般的なＤＶＤの記憶容量は４.７ＧＢである。
【０００４】
一方、従来に比べて記録容量を増大させた光ディスクとして、ブルーレイディスク（Blu-ray Disc：登録商標）及びＨＤ  ＤＶＤ（High Definition ＤＶＤ）が発表されている。以下、ブルーレイディスクを「ＢＤ」と言う。ＢＤの場合は片面単層の記録容量は２３．３ギガバイト（ＧＢ）、２５ＧＢ、２７ＧＢの３種類が規格化されており、ＨＤ  ＤＶＤの場合は片面単層の記録容量が１５ＧＢであるものが発表されており、２０ＧＢの仕様も検討されている。これらの光ディスクの記録容量は、片面２層記録での記録容量が８．５ＧＢであるＤＶＤの記録容量を凌駕しており、ＢＤでは２時間以上に及ぶデジタルハイビジョン放送の番組を１枚のディスクに記録することができる。これらの光ディスクを使用する録画装置は、情報の記録及び再生を行うために波長が４００ｎｍ帯の青色半導体レーザ光を用いる構成となっている。（例えば、特許文献１参照）。
【０００５】
また、既存のコンパクトディスク（ＣＤ）、ＤＶＤに加えて、例えば記録媒体として片面の記録容量が８．６ギガバイト以上の光ディスクを用いたＢＤにも対応するために、長波長（ＣＤ用）と中波長（ＤＶＤ用）に加えて短波長（ＢＤ）の３波長のレーザー光源を得る光ディスク装置が提案されている（例えば特許文献２参照）。この装置では、上記３種類の波長に対応するピックアップを設け、ドライブを１つにして省スペース化を図っている。
【特許文献１】特開２００４-１９２８０１号公報
【特許文献２】特開２００４-１０３１３５号公報
【発明の開示】
【発明が解決しようとする課題】
【０００６】
しかしながら、上記特許文献２に記載の光ディスク装置では、省スペース化が可能なものの、ディスクの挿入口が１つのみでありディスクも１枚のみが駆動可能なため、ダビングなどの処理が複雑になりユーザの使い勝手は必ずしも良好ではない。また、２以上のディスク装置を備えた記録再生装置も存在するが、ディスクを出し入れする着脱口を操作パネルと同一面に２以上設けると、動作表示を行う表示部分の面積が小さくなり、各光ディスク装置の動作状態や各光ディスク装置間のデータの移動方向等が一見して分かりづらいという問題があるとともに、各光ディスク装置の操作が複雑でありユーザにとって操作性という観点からは満足のいくものではなかった。
【０００７】
本発明の目的は、例えばＢＤを含む２以上の光ディスク装置を備えた記録再生装置の操作性を向上させることを目的とする。
【課題を解決するための手段】
【０００８】
本発明の記録再生装置では、例えば光学ディスク装置のうちの一方がブルーレイディスク装置であり２つ又はそれ以上の光学ディスク装置を備えた２トレイ方式の記録再生装置において、それぞれの光学ディスク装置のディスクを出し入れする独立の第１の操作キー及び第２の操作キーのいずれか一方を操作することにより、記録再生装置の電源がオンし、次いで、操作した方の光学ディスク装置のディスクが出る。或いは、両方のディスクが出るようにしても良い。特殊の操作、例えば操作キーを両方操作した場合には両方のトレイが出るように制御しても良い。どのように制御するかは、予め制御プログラムなどにより設定しておくことが可能である。
【０００９】
また、ディスクの着脱口を開閉可能に塞ぐパネルが設けられている場合には、上記操作キーを押すと、まずパネルが開き、次いでトレイに関する予め決められた操作になるように制御しても良い。
【００１０】
本発明の一観点によれば、筐体と、該筐体内に配置され第１の電子装置と第２の電子装置との少なくとも２つの電子装置群と、を有する電子機器であって、電源オフの状態から、前記第１の電子装置を始動させる第１の操作キーと前記第２の電子装置を始動させる前記第１の操作キーとは異なる第２の操作キーとのうちのいずれか一方を操作することにより前記電子機器の電源をオンする制御を行う制御部を有することを特徴とする電子機器が提供される。
【００１１】
本発明の他の観点によれば、筐体と、該筐体内に配置され第１の電子装置と第２の電子装置との少なくとも２つの電子装置群と、を有する電子機器の制御方法あって、電源オフの状態から、前記第１の電子装置の始動させる第１の操作キーと前記第２の電子装置を始動させる前記第１の操作キーとは異なる第２の操作キーとのうちのいずれか一方を操作することにより前記電子機器の電源をオンするステップを有することを特徴とする電子機器の制御方法が提供される。上記ステップをコンピュータに実行させるためのプログラムも本発明の範疇に入るものである。
【発明の効果】
【００１２】
本発明の記録再生装置によれば、少なくとも２以上の光学ドライブ装置を備えた記録再生装置において、それぞれのディスク装置のディスクを出し入れするために設けられている独立の操作キーのうち少なくともいずれか１つを操作することにより、電源がオンし、次いで、ディスクの出し入れに関する動作を行うため、一連の動作を簡単な操作により実行することができるという利点がある。
【発明を実施するための最良の形態】
【００１３】
本明細書において、光学ディスクは、例えば、再生専用のＣＤ−ＲＯＭ、ＤＶＤ−ＲＯＭ、再生・記録が可能なＣＤ−Ｒ（Ｗ）、ＤＶＤ―Ｒ（ＲＷ）など及びブルーレイディスク（ＢＤ）を含む。光学ディスク装置は、これらのメディアを駆動することができる駆動装置を指す。
【００１４】
本発明の第１の実施の形態による記録再生装置について図面を参照しつつ説明を行う。図１は、本実施の形態による記録再生装置の外観構成例を示す斜視図であり表面パネルを閉じた状態を示す図である。図２は、図１の斜視図に対応する図であり表面パネルを開いた状態を示す図である。図３（ａ）〜（ｃ）までは、それぞれ、図１に対応する正面図、図２に対応する正面図、図２に対応する上面図（一部を表す）である。図４は、本実施の形態による記録再生装置の内部に配置されている光学ディスク装置の配置例を示す図である。図５は、本実施の形態による記録再生装置の内部構成例を示す機能ブロック図である。図６は、本実施の形態による記録再生装置の制御処理等を行うプログラムの構成例を示す図である。図７は、記録再生装置を遠隔操作することができるリモートコントロール装置（以下、「リモコン装置」）の構成例を示す図である。図８及び図９は、本実施の形態による記録再生装置のディスク装置のディスクの出し入れ操作の処理の流れを示す図である。
【００１５】
図１から図４までに示すように、本実施の形態による記録再生装置Ａは、第１の光学ディスク装置であるＤＶＤ装置３１と、このＤＶＤ装置３１とは記憶容量などの規格が異なる第２の光学ディスク装置であるＢＤ装置３５とが隣接して配置されるいわゆる２トレイ方式の記録再生装置であり、薄型テレビなどとともに使用する際の統一感を出すために、横置き、縦置きのいずれの場合でもスリムさを強調する外観を有している。この外観は、図４を参照して後述するように２つの光学ドライブ装置３１、３５を横置き時に左右に配置されるようにすることで、筐体の縦方向の厚さが極力薄くなるようにしている。液晶テレビをオープンラックに載せて使用することを想定して、このオープンラック内に横置きする際の薄さが強調される。
【００１６】
加えて、ディスク駆動装置を収容する筐体１は、ハロゲン材の入っていない難燃性プラスチックであるＡＢＳポリカーボネート樹脂を射出成形して形成しており、上面に薄い上板１ａを配置し、この上板１ａを他の筐体外表面よりも深みのある仕上げとすることにより機械的な強度を保持するとともに高級感とスリム感を演出している。
【００１７】
図４は、本実施の形態による記録再生装置内における各ディスク装置の配置例を示す図である。図４に示すように、本実施の形態による記録再生装置は、一般的な横置きの配置にした場合に、正面から見て左側にＤＶＤ装置３１が、右側にＢＤ装置３５が配置されるとともに、ＤＶＤ装置３１の下方にＨＤＤ装置３３が配置される。ある程度の厚みを有する光学ディスク装置３１、３５を左右に配置し、薄型化が可能なＨＤＤ装置３３をＤＶＤ装置３１の下方に配置することで筐体１の厚さを薄くすることができる。
【００１８】
さらに、ＤＶＤのディスクよりもより微細な加工を行っているためピックアップとディスクとの間の高い位置精度が要求される（すなわち、振動に対して弱い）振動発生源となりうるＨＤＤ装置３３の横方向にＢＤ装置３５を配置し、ＤＶＤ装置３１の下方にＨＤＤ３３を配置することにより、ＨＤＤ装置３３の動作に起因する振動の影響を極力小さくすることができる。これらのディスク装置３１、３３、３５は、全て記憶・再生が可能であるが、例えば、ＤＶＤ装置が再生専用である場合も含まれる。
【００１９】
尚、一般的に、ＨＤＤ装置３３は、記憶容量が１２０ＧＨｚ程度であり、３つのディスク装置の中では最も記憶容量が大きく、次いで、ＢＤ装置３５、ＤＶＤ装置３１の順に記憶容量が少なくなる。従って、ＨＤＤ装置３３を基本的な記憶装置としてデータサーバ的に利用し、使用状況又は求められる画質、コンテンツの占有記憶容量等を勘案して、適宜コンテンツをＨＤＤ装置３３からＢＤ装置３５又はＤＶＤ装置３１を介してＤＶＤのディスク又はＢＤのディスクに振り分けて半永久的に記憶メディアに記憶させることができる。これらの記憶メディアに記憶されたコンテンツは、他の再生装置でコンテンツを再生させたり、オリジナルのコンテンツを作成して配布したりすることができる。
【００２０】
図１及び図３（ａ）に示すように、本実施の形態による記録再生装置Ａは、上板１ａが配置された筐体１と、横置き時における正面に設けられた開閉式の正面パネル２５ａを有している。正面パネル２５ａの左右には、それぞれ電源オン/オフ用スイッチ１ｂ及び図７に示すリモートコントロール装置（以下、「リモコン」と称する。）からの赤外線による指令を受けるＲＣ受光部１７と、正面パネル２５ａを開くためのパネル開スイッチ２５ｂと、正面パネル２５ａをロックする正面パネルロック機構２５と、を有している。
【００２１】
正面パネルロック機構２５の詳細な説明は省略するが、通常は正面パネル２５ａをロックしており、リモコンのパネル開スイッチ（図７（Ｂ）のトレイ開閉スイッチがこの機能を兼ねている）又はパネル開スイッチ２５ｂをオンすることにより正面パネル２５ａを開方向に押す。
【００２２】
正面パネル２５ａが一旦押されると、正面パネル２５ａの自重により筐体の正面と正面パネル２５ａとの成す角度が９０度程度になるまで開方向に回転移動し、図２に示すように筐体の正面と正面パネル２５ａとの成す角度が９０度程度になった時点で回動が停止する。尚、正面パネル２５ａのロック機構をリモコン装置により解除することにより、正面パネル２５ａをリモコン装置からの操作により開けることができる。
【００２３】
正面パネル２５ａには、表示部４０が設けられている。この表示部４０は、筐体１を横置きにした場合に横方向にある間隔をあけて配置された略円形の第１表示部４１と、第２表示部４３・４５と、第３表示部４７と、が配置されている。
【００２４】
図２及び図３（ｂ）に示すように、正面パネル２５ａを開いた場合には、筐体１の正面側であって正面パネル２５ａが閉じていた場合の裏面側に、記録再生装置Ａに内蔵されている第１の光ディスク装置であるＤＶＤ装置３１（図示しない）と第２の光ディスク装置であるＢＤ装置３５（図示しない）のトレイの正面部３１ａ、３５ａが現れる。それぞれの光ディスク装置３１、３５に対して、それぞれの光ディスク装置３１、３５のディスクトレイを出し入れするための開閉スイッチ３１ｂ、３５ｂが設けられている。この開閉スイッチ３１ｂ、３５ｂを押すことにより、それぞれの光ディスク装置３１、３５のそれぞれに対応する図示しないＤＶＤのディスク又はＢＤのディスクを載せるためのディスクトレイが進退するようになっている。
【００２５】
ＤＶＤ装置３１とＢＤ装置３５とが並んで配置されている領域の下方には、例えばＩＥＥＥ１３９４端子（ＤＶ端子）１５と、Ｂ-ＣＡＳカード用のスロット２１と、が設けられている。Ｂ-ＣＡＳカードは地上デジタルテレビジョン放送、ＢＳデジタル放送、１１０度ＣＳデジタル放送等の各種放送サービスを受信するために必要なカードであり、デジタル放送の番組等の著作権保護にも利用される。例えば、デジタル放送の無料放送、有料放送、ペイ・パー・ビュー放送、ＮＨＫ、自動表示メッセージ、およびデータ放送の双方向サービス等の放送サービスを利用するためには、Ｂ-ＣＡＳカード用のスロット２１にＢ-ＣＡＳカードを挿入する必要がある。尚、符号２１ａはＢ-ＣＡＳカード用のスロットに挿入されたＢ-ＣＡＳカードを取り出すための押しボタンである。
【００２６】
さらに、ＩＥＥＥ１３９４端子（ＤＶ端子）１５と、Ｂ-ＣＡＳカード用のスロット２１との間には、表示部４０と同じような形態であってやや小型の内側表示部４８（第４から第６までの表示部４８ａ〜４８ｃまでがある間隔をおいて横方向に配置されている）が設けられている。この内側表示部は表示兼用の選択操作キーとなっており、図示する左側から順番にそれぞれＤＶＤ、ＨＤＤ、ＢＤの動作状態を報知する動作状態報知手段も兼ねている。尚、ＤＶ端子は、記録再生装置Ａの裏面側にも設けられており、一般的にはＤＶカメラからの映像をＨＤＤ装置などに高速に取り込むインターフェイスとして用いられるが、ユーザにとって使い勝手の良い方の端子を選択して用いることができる。
【００２７】
さらに、図２及び図３（ｃ）に示すように、正面パネルの裏面２５ｄ側に、図７（Ａ）のリモコン装置ＲＣの方向キーと同様の機能を有する方向キーと決定ボタンとを備えた操作部６１と、再生動作を開始、停止するためのそれぞれが半円形で合わせて円形となるスイッチ６１ｂであって、円形の外周部に発光領域を有している再生用スイッチ６１ｂと、この再生用スイッチ６１ｂに隣接して設けられ同様の形状を有している録画用スイッチ６１ｃと、が設けられている。後述するように、表示の際の発光色は動作状態に応じて決められている。方向キーと選択キーとによる操作部６１は、例えばメニュー画面におけるメニュー項目の移動と決定に用いられる。
【００２８】
上述のように、それぞれがディスク駆動部を有するＤＶＤ装置とＢＤ装置とを備えた２トレイ方式を採用し、かつ、内蔵のＨＤＤ装置も備えているため、ＤＶＤのディスク又はＢＤのディスクのそれぞれに関連する起動時間に起因する遅延を極力短くすることができる。例えば、ＤＶＤ装置３１又はＢＤ装置３５に新たにＤＶＤディスク又はＢＤディスクを挿入した場合は、それぞれの装置に載置されたディスクの情報を読みに行き、読み込まれた情報によりディスクの種類、規格、などを検出する。すなわち、ディスクがそのディスク装置により再生又は記録などの操作が可能であるか否かを判定し終わって初めて、次の処理（実際の再生又は記録処理）に移行することができる。２トレイ方式を用いることで例えば２種類の規格の異なるディスクを規格の一致するディスク装置に入れることにより、異なるディスクの情報読み込み時間を平行して情報読み込みを行わせることにより、短時間でディスク装置の起動処理を行うことができる。すなわち、２ディスクの出し入れ時におけるディスクの情報読み込みに起因する遅延を２ディスクの情報読み込みを並行して行わせることにより低減することができるという利点がある。
【００２９】
次に、本実施の形態による記録再生装置Ａの内部構成例について図５の全体機能ブロック図と図６及び図７を参照しつつ説明を行う。適宜、図１〜図４までを参照しつつ説明を行う。図５に示すように、本実施の形態による記録再生装置Ａは、全体の制御を行うＣＰＵ３と、各機能を実行する機能ブロック群と、を有している。記録・再生機能を有するブロックとしては、上述のように、ＤＶＤ装置３１とＨＤＤ装置３３とＢＤ装置３５とが備えられている。
【００３０】
これらの各ディスク装置３１、３３、３５は、ディスク駆動制御部３７を介して又は直接に、ＣＰＵ３からの制御命令に基づいて動作する。実際には、図７に示すリモコン装置の各操作ボタン又は上述した記録再生装置Ａ本体側の操作スイッチなどを操作することにより、リモコン装置ＲＣの場合には赤外線信号をＲＣ受光部１７において受信し、操作に応じた信号を受けてＣＰＵ３に伝達する。ＣＰＵ３は受けた信号に基づいて上記操作に基づく動作を行うように、各機能ブロックに対して指令する指令信号を出力する。
【００３１】
例えば、リモコン装置ＲＣの放送選択部７０において地上波デジタル放送（ＣＳ）選択ボタン７０ｂが押され対象機器選択部においてＢＤディスク選択ボタン７１ｃが押されると、ＢＤディスクドライブ装置３５に入っているＢＤディスクに地上波デジタル放送番組のコンテンツを記録することができる。ＢＤのディスクはＤＶＤのディスクに比べて大容量のデータを記憶することが可能であるため、例えば２〜３時間以上のＣＳ放送を高画質で記録可能である。
【００３２】
記録の際には、地上波デジタル放送（ＣＳ）の録画を行う際に、録画エンコーダ／デコーダを含む画像／音声信号処理部５が、例えばＣＳ放送番組からの映像信号／音声信号をＢＤディスクに記録できる形式に変換したり、例えばＢＤ装置３５に記録された信号を表示モニタに表示可能な形式に変換したりする。この際、ＢＤ装置３５の動作状況をＣＰＵ３に送る。これにより、ＣＰＵ３は、各ディスク装置の動作状況を適宜監視して適切な指示を与えることができる。
【００３３】
さらに、本実施の形態による記録再生装置Ａは、ＣＰＵ３と関連付けされ、ＣＰＵ３に後述する種々の処理を実行させるためのプログラムを格納するＲＯＭ７と、プログラムを展開して高速に処理するためのＲＡＭ１１と、アンテナからの放送信号を入力したり、ディスク装置を駆動させた際に得られるコンテンツの信号やＤ映像などを例えば液晶ＴＶなどの表示モニタに出力したり、ＤＶカメラに接続するＩＥＥＥ１３９４端子（ＤＶ端子）やインターネットなどに接続するＬＡＮ端子などを備え各種信号の入出力を制御するインターフェイス部１５と、を備えている。
【００３４】
さらに、前述のＲＣ受光部１７と、Ｂ−ＣＡＳカードスロット２１と、放熱効果を高めるための冷却ファン２３と、正面パネル２５ａを開するための正面パネル駆動部２５であって正面パネルの開閉の状態を検出する図示しない検出部を備える正面パネル駆動部２５と、各種入力操作を受け付ける入力部６１と、を有している。加えて、前述のディスク装置駆動制御部３７と、前述の正面パネル２５ａに設けられた表示部４０は、前述のように筐体１を横置きにした場合に横方向にある間隔をあけて配置された略円形の第１表示部４１と、第２表示部４３・４５と、第３表示部４７と、を有しており、ＣＰＵ３により表示制御部５１を介して表示の制御が行われる。同様に、上述した第４から第６までの表示部４８ａ〜４８ｃを兼ねる選択スイッチも、上記表示制御部５１を介してＣＰＵ３により表示制御がなされる。さらに各ディスク装置には、ディスクの有無や駆動状態等を検出する検出部３１ｃ、３３ｃ、３５ｃがそれぞれ設けられており、対応する各ディスク装置内における光学メディアの有無や駆動状態等に関する信号が検出部３１ｃ、３３ｃ、３５ｃからディスク駆動制御部３７を介してＣＰＵ３に送られるように構成されている。尚、重力センサなどを含み記録再生装置の位置（横置き状態か縦置き状態か）を検出する位置検出部２７も搭載されている。
【００３５】
図６は、ＲＯＭ７内に格納されるプログラム群の構成例であって、各種ディスクの駆動制御を行うディスク駆動制御プログラムＰ１と、表示部の表示制御を行う表示制御プログラムＰ２と、インターフェイス部１５におけるインターフェイスの切り替え制御や信号の変換等を行うインターフェイス制御プログラムＰ３と、正面パネル２５ａ／ファン２３等の動作の制御を行うパネル／ファン等制御プログラムＰ４と、画像信号／音声信号の信号処理（変換を含む）を行う画像／音声信号処理プログラムＰ５と、を含んで構成される。尚、ここで列挙した各プログラムは例示であり、実際には各プログラムが連動して一連の制御を行うものである。
【００３６】
次に、上記各機能の働きについて説明する。まず、表示部及び表示制御部の構成の詳細とそれに基づく表示制御について詳細に説明を行う。
【００３７】
前述のように、正面パネル２５ａに設けられている表示部４０は、図３（ａ）に示すように、記録再生装置Ａの筐体１を横置きにした場合に横方向にある間隔をあけて配置された略円形の第１表示部４１と、第２表示部４３・４５と、第３表示部４７と、を有している。第１表示部４１と、第２表示部４３・４５と、第３表示部４７は、光ディスク装置Ａの厚さに対して約半分程度の直径を有する比較的大きく見やすい表示部となっており、３連の円形表示部の表示（点灯の有無と点灯色）を確認さえすれば、比較的複雑なＨＤＤドライブ＋２トレイ方式の記録再生装置のディスク装置の現在の動作状況と現在のデータの移動方向とが簡単にわかるという利点を有する。
【００３８】
図７（Ａ）から（Ｃ）までは、図５に示すリモコン装置ＲＣの構成例を示す図である。図７（Ｂ）に示すように、リモコン装置ＲＣには、ＤＶＤのディスクトレイを出し入れする操作キー７５とＢＤのディスクトレイを出し入れする操作キー７７とが、それぞれ独立に設けられている。但し、正面パネル２５ａが閉の状態においては、正面パネル２５ａとディスクトレイとがぶつからないように、リモコン装置ＲＣのＤＶＤディスクの操作ボタン７５又はＢＤディスクの操作キー７７を押してもディスクトレイが出てこないように、操作キー７５、７７は操作が無効になっている。
【００３９】
ここで、図８に示すように、まず、ステップＳ１で操作を開始する。ステップＳ２において、リモコン装置のディスクトレイ出し入れ用の操作キー７５（ＤＶＤ用）、７７（ＢＤ用）のうちのいずれか一方の操作キーをオンする。ステップＳ３において、記録再生装置の電源がオンかオフかを判断する。オンの場合には（Ｙｅｓ）ステップＳ５に進む。オフの場合には（Ｎｏ）ステップＳ４に進み、電源をオンした後にステップＳ５に進む。ステップＳ５において、例えば操作キーに対応するディスクトレイを出す（ＢＤ用操作キーを押すとＢＤ装置のトレイが出る）操作を行う。ステップＳ６において、ディスクトレイに対応するディスクを載せる。ステップＳ７において、ステップＳ２で操作した操作キーと同じ操作キー（ＢＤ用操作キー）を押す。これによりＢＤ装置のディスクトレイが引っ込み、情報読み込み状態に入る（ｅｎｄ：ステップｂＳ９）。
【００４０】
次に、正面パネル２５ａの開閉も考慮した処理の流れについて説明する。図９に示すように、正面パネル２５ａを開にする（ステップＳ１１、Ｓ１２）と、操作キー７５、７７の操作は有効になる（ステップＳ１３）。以下に、この状態における操作に関する複数の制御例について図９のフローチャート図を参照しつつ具体的に説明する。
【００４１】
１）第１の手順（ステップＳ１４）は、電源スイッチ７６をオンし、記録再生装置をオン状態にした後、操作キー７５・７７のいずれか一方を押すことにより、押した方のディスクトレイが出る手順が一般的な操作手順である。
【００４２】
２）第２の手順（ステップＳ１５）は、電源スイッチ７６をオンせずに、操作キー７５・７７のいずれか一方を押すと、記録再生装置の電源が入り、その後に、操作キー７５・７７のいずれか押された方のディスクトレイが出る。このように、操作キー７５・７７のうちいずれか一方を押すのみで電源がオンされ、次いでディスクトレイが出る動作が起こるため、操作が簡単かつ迅速になるという利点がある。
【００４３】
３）第３の手順（ステップＳ１６）は、電源スイッチ７６をオンせずに、操作キー７５・７７のいずれか一方を押すと、記録再生装置の電源が入り、その後に、いずれを押したかにかかわらず両方のディスクトレイが出る。このように、操作キー７５・７７のうちいずれか一方を押すのみで電源がオンされ次いで両方のディスクトレイが出る動作が起こるため、操作が簡単かつ迅速になるという利点がある。或いは、操作キー７５・７７の両方を同時に押すと、記録再生装置の電源が入り、その後に、両方のディスクトレイが出るようにしても良い。このようにすると、例えば、両方のトレイにディスクが装着されていない場合や、トレイにディスクが装着されてはいるが、現在そのディスクがアクセス中でない場合は同時にディスクトレイを出してＤＶＤディスクとＢＤディスクとの一連のディスク情報の読み込み動作に要する時間を、ユーザーが今使用したいディスクを入れた方のみにアクセスするように制御することにより短縮することができる。
【００４４】
４）第４の手順（ステップＳ１７）は、ディスク検出部３１ｃ、３５ｃによりディスク装置内におけるディスクの有無を検出し、ディスクが入っていない方のみのディスクトレイを出す動作を行うものである。この手順は、ディスクが入っていない方にのみを検出して新たなディスクを装着する操作を意図したものであり、例えば記録再生処理の初期段階において行うのが有効である。
【００４５】
この場合、ディスクトレイ用の操作キーを押して記録再生装置の電源がオンした時に既にディスクが入っている方は、ディスクトレイに入っているディスクの情報を読み始める。しかしながら、ディスクが入っているにもかわらず１回強制的にディスクトレイを開けてしまうと、再度、最初から読み始める処理が入るため時間がかかってしまう。そこで、ディスク装置内にディスクが入っていない方のディスクトレイだけを開にするのが特に初期段階では効率的である。
【００４６】
５）第５の手順（ステップＳ１８）は、ディスク検出部３１ｃ、３５ｃによりディスク装置内におけるディスクの有無を検出し、ディスクが入っている方のみを検出してディスクトレイを出す動作を行うものである。この手順は、ディスクが入っている方のディスク交換のための新たなディスクを装着する操作を意図したものである。この操作は、例えば、再生終了時などに特に行われると効果的である。
【００４７】
以上１）から５）までのいずれかの手順の択一的に、又は、状況に応じて選択するように制御する。或いは、１）から５）までのいずれかをｄｅｆａｕｌｔにしても良い。
【００４８】
次に、本実施の形態の変形例による記録再生装置について説明する。光学ディスク装置には、上記のようにディスクトレイにベアのディスクを装着するタイプの他に、ディスク又はディスクがケースに入っているケースを、ディスク着脱口からＥｊｅｃｔさせるタイプがある。この場合には、操作キー（Ｅｊｅｃｔキー）をオンすると、記録再生装置の電源がオンし、ディスク着脱口からディスクがＥｊｅｃｔする。ディスクが入っていない方のＥｊｅｃｔキーを押した場合には、ディスクが出てこないようにする制御とディスクが入っている方のディスクが出てくる動作を行うようにする制御が可能である。その後は、ディスク着脱口から入れたいディスクを入れる操作になる。この場合も、Ｅｊｅｃｔキーにより装置の電源がオンし、ディスクが入っていればディスクを出す動作が行われるので、操作が簡単になる。
【００４９】
尚、本実施の形態においては、１つのＨＤＤ装置と２つの光学ディスク装置を含む２トレイ方式の記録再生装置を例にして説明したが、表示制御に関しては光学ディスク装置やＨＤＤ装置の数や種類に関係なく同様の制御を行うことができる。
【産業上の利用可能性】
【００５０】
本発明は、記録再生装置のディスクの出し入れ操作の制御技術として利用できる。
【図面の簡単な説明】
【００５１】
【図１】本実施の形態による記録再生装置の外観構成例を示す斜視図であり表面パネルを閉じた状態を示す図である。
【図２】図２は、図１の斜視図に対応する図であり表面パネルを開いた状態を示す図である。
【図３】図３（ａ）〜（ｃ）までは、それぞれ、図１に対応する正面図、図２に対応する正面図、図２に対応する上面図（一部を表す）である。
【図４】図４は、本実施の形態による記録再生装置の内部に配置されている光学ディスク装置の配置例を示す図である。
【図５】図５は、本実施の形態による記録再生装置の内部構成例を示す機能ブロック図である。
【図６】図６は、本実施の形態による記録再生装置の制御処理等を行うプログラムの構成例を示す図である。
【図７】図７は、記録再生装置を遠隔操作することができるリモートコントロール装置（以下、「リモコン装置」）の構成例を示す図である。
【図８】本発明の第１の実施の形態による記録再生装置のトレイ開閉動作の第１の処理の流れを示すフローチャート図である。
【図９】本発明の第１の実施の形態による記録再生装置のトレイ開閉動作の第２の処理の流れを示すフローチャート図である。
【符号の説明】
【００５２】
Ａ…記録再生装置、３…ＣＰＵ、５…画像／音声信号処理部、７…ＲＯＭ、１１…ＲＡＭ、１５…インターフェイス部、１７…ＲＣ受光部、２１…Ｂ−ＣＡＳカードスロット駆動部、ＲＣ…リモコン装置、２７…位置検出部、３１…ＤＶＤ装置、３１c…検出部、３３…ＨＤＤ装置、３３c…検出部、３５…ブルーレイディスク（ＢＤ）装置、３５c…検出部、３７…ディスク駆動制御部、４１…ＤＶＤ表示部、４３…ＨＤＤ表示部（ＬＥＤ）、４５…ＨＤＤ表示部（ＬＣＤ）、４７…ＢＤ表示部、５１…表示制御部。
【図１】
2006164381.tif 000003
【図２】
2006164381.tif 000004
【図３】
2006164381.tif 000005
【図４】
2006164381.tif 000006
【図５】
2006164381.tif 000007
【図６】
2006164381.tif 000008
【図７】
2006164381.tif 000009
【図８】
2006164381.tif 000010
【図９】
2006164381.tif 000011